(57)【要約】      （修正有）【課題】靴飾りを紐靴の紐を利用して紐靴に取り付けることを可能にし、以て靴飾りの利用範囲を拡げ、靴飾りを用いてのファッション性、趣好性を一層拡大し得る靴飾り保持プレートを提供する。【解決手段】飾り部本体７と固定部品９とから成る靴飾り６を紐部分に取り付けるためのプレート１であって、紐１１を挿通するための紐挿通孔３、４を一対設けると共に、中央部に飾り部本体７の軸８を挿通するための軸挿通孔２を設けたことを特徴とする。好ましくは、軸挿通孔２は、星形、ハート形その他の装飾的形状にし、プレート１は、星形、ハート形その他の装飾的輪郭を有するものとし、更に、文字、図形、写真又は色分けによる装飾性を有するものとする。【選択図】図１
0003148372.tif 000002
【実用新案登録請求の範囲】
【請求項１】
飾り部本体と固定部品とから成る靴飾りを紐部分に取り付けるためのプレートであって、紐を挿通するための紐挿通孔を一対設けると共に、中央部に前記飾り部本体の軸部を挿通するための軸挿通孔を設けたことを特徴とする靴飾り保持プレート。
【請求項２】
前記軸挿通孔は、星形、ハート形その他の円形以外の形状である、請求項１に記載の靴飾り保持プレート。
【請求項３】
前記プレートは、星形、ハート形その他の装飾的輪郭を有し、及び／又は、前記プレートは、文字、図形、写真又は色分け表現による装飾性を有している、請求項１又は２に記載の靴飾り保持プレート。
【考案の詳細な説明】
【技術分野】
【０００１】
本考案は靴飾り保持プレート、より詳細には、飾り部本体と固定部品とから成っていて、両者を合体させることによってはき物に形成した孔部に取り付ける靴飾りを、孔部を有しない、例えば、はき物の紐部分に装着可能にするための靴飾り保持プレートに関するものである。
【背景技術】
【０００２】
近時、甲皮等に多数の通気・通水孔を設けた樹脂製のサンダル等のはき物が出回っており、同時に、前記通気・通水孔に飾り部本体とこれに結合される固定部品とから成る靴飾りを取り付け、その靴飾りによるファッション性、趣好性を楽しむことが流行している。
【０００３】
例えばこの靴飾りは、装飾的、趣好的要素を有していて裏面中央部に軸を備えた飾り部本体と、該軸の先端を受け入れてこれを係止する固定部品とから成っている。そして、例えば、サンダルの甲皮に設けた上記通気・通水孔に上記軸を表側から差し込み、甲皮の内側において上記軸の先端部を固定部品で係止させることによって装着する。
【０００４】
上記靴飾りはこのようにしてはき物に取り付けて使用するものであるため、はき物にはその装着のために、予め通気・通水孔のような孔部が設けられている必要がある。従って、はき物においてこのような孔部を設けていない部分、例えば、靴紐に本靴飾りを装着することはできない。
【０００５】
【特許文献１】実用新案登録第３１３５７３６号公報
【考案の開示】
【考案が解決しようとする課題】
【０００６】
上述したように、靴飾りは、通気・通水孔等の孔部を有しないはき物部分である靴紐等に取り付けて楽しむことができない。そこで本考案は、靴飾りを紐靴等の紐を利用して取り付けることを可能にし、以て、靴飾りの利用範囲を拡げると共に、靴飾りを用いてのファッション性、趣好性を一層拡大し得る靴飾り保持プレートを提供することを課題とする。
【課題を解決するための手段】
【０００７】
上記課題を解決するための請求項1に記載の考案は、靴飾り本体と固定部品とから成る靴飾りを紐部分に取り付けるためのプレートであって、紐を挿通するための紐挿通孔を一対設けると共に、中央部に前記飾り部本体の軸部を挿通するための軸挿通孔を設けたことを特徴とする靴飾り保持プレートである。
【０００８】
一実施形態においては、前記軸挿通孔は、星形、ハート形その他の円形以外の形状とされ、前記プレートは、星形、ハート形その他の装飾的輪郭を有し、更に、前記プレートは、文字、図形、写真又は色分け表現により、装飾性を備えたものとされる。
【考案の効果】
【０００９】
本考案は上述したとおりであって、本考案に係る靴飾り保持プレートは、その一方の紐挿通孔から他方の紐挿通孔にかけて紐を通すことにより、紐靴の紐部分、あるいは、その他の紐を有するはき物や被服、身の回り品、バッグ等の紐部分に簡単に取り付け、また、好みの靴飾りに付け替えたりして楽しむことができる効果がある。
【００１０】
請求項２及び３に記載の考案においては、プレート自体が装飾性を発現するので、靴飾りを外した状態においても装飾的、趣好的効果が得られる。
【考案を実施するための最良の形態】
【００１１】
本考案を実施するための最良の形態について、添付図面に依拠して説明する。図１は、本考案に係る靴飾り保持プレートの構成を示す斜視図で、該保持プレートは、通例、プラスチック、ゴム、木等の資材製のプレート１で構成される。プレート１の形状は特に問わず、星形、ハート形（図２（Ｃ）参照）その他の装飾的輪郭を有するものとしたり、文字、図形、写真等を表現したり、色分けよって装飾的効果を出すようにしても良い。
【００１２】
プレート１の中央部には、靴飾り６を構成する飾り部本体７の裏面中央に設けた軸８を挿通するための軸挿通孔２が形成され、また、軸挿通孔２の両側に、一対の紐挿通孔３、４が形成される。
【００１３】
軸挿通孔２の形状は円形に限られる訳ではなく、星形、ハート形（図２（Ａ）、（Ｂ）参照）、その他任意の装飾的形状となし得る。また、紐挿通孔３、４は、一般的な靴紐１１、その他の紐類を挿通するのに適した形状及び大きさとされ、例えば、断面が扁平な靴紐１１用の場合には、図示したような横長の角孔とされるが、これに限られる訳ではなく、楕円その他任意の形状となし得る。但し、紐挿通孔３，４の大きさが紐１１に対して大き過ぎると、プレート１の固定が不安定になるおそれがあるため、不必要に大きくしないようにすることが好ましい。
【００１４】
本考案に係る靴飾り保持プレートは、紐１１を、一方の紐挿通孔３にプレート１の表側から挿入し、プレート１の裏を通して反対側の紐挿通孔４から表側に出すことによって紐１１に取り付ける。そして、固定したプレート１の裏面側に固定部品９を配し、プレート１の表側から飾り部本体７の軸８を挿入し、その先端部を固定部品９に嵌め込んで飾り部本体７と固定部品９とを結合する。かくして、靴飾り６が、紐１１に保持されたプレート１に取り付けられる。
【００１５】
靴飾り６は、その飾り部本体７と固定部品９とが分離・結合可能であるので、適宜、所望の靴飾り６に付け替えて楽しむことができる。また、プレート１自体及び／又は軸挿通孔２に装飾的要素を具備させたときは、靴飾り６を外した状態においても装飾的効果が発現される。
【００１６】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１７】
【図１】本考案に係る靴飾り保持プレートの一実施形態の斜視図である。
【図２】本考案に係る靴飾り保持プレートの種々の形状例を示す正面図である。
【図３】本考案に係る靴飾り保持プレートの使用状態図（靴飾り装着過程）である。
【図４】本考案に係る靴飾り保持プレートの使用状態図（靴飾り装着後）である。
【符号の説明】
【００１８】
１    プレート
２    軸挿通孔
３    紐挿通孔
４    紐挿通孔
６    靴飾り
７    飾り部本体
８    軸
９    固定部品
１１    紐
【図１】
0003148372.tif 000003
【図２】
0003148372.tif 000004
【図３】
0003148372.tif 000005
【図４】
0003148372.tif 000006